(57)【要約】      （修正有）【課題】無線式自動車ホーンリレーの盗難防止システムの提供。【解決手段】無線式自動車ホーンリレーの盗難防止システムは、主に下記のものを包括する。ホーンリレー外ケース１、その内部に電源入力及び電圧安定回路１１、無線受発信回路１２、ＣＰＵデコード及び制御回路１３、ホーンリレー駆動回路１４、リレー１５及び盗難防止センサ２を設置し、盗難を検知し、自動車のホーンを駆動しサイレンを鳴らし、また入出力端子は自動車のホーンリレーと同じ端子とする。無線リモコン５でケース内の回路のオン/オフをリモートコントロールする。これにより、取り付け時、穴あけ配線や別途ホーンの追加が不要で、自車のホーンを用い警報サイレンとすることができ、便利でまた隠蔽性の盗難防止効果を達成することができる。【選択図】図１
2008279843.tif 000002
【特許請求の範囲】
【請求項１】
ホーンリレー外ケース、電源入力電圧安定回路、無線送受信回路、ＣＰＵデコード及び制御回路、ホーンリレー駆動回路、盗難防止センサ、入出力接点、電源ライン及び無線リモコン器を含み、
該電源入力電圧安定回路は回路に必要な作業電源を提供し、
該無線送受信回路は受信した無線信号をデジタル信号に拡大変換し、
該ＣＰＵデコード及び制御回路はデジタル信号をデコードし、制御信号を提供し、
該ホーンリレー駆動回路は制御信号を拡大し、リレーを駆動し作動させ、自車のホーンを駆動しサイレンを鳴らし、
該盗難防止センサは盗難防止の検知を提供し、ＣＰＵデコード及び制御回路を互いに接続し、
該入出力接点は自車のホーンリレーと同じ端子を設け、
該電源ラインの正電源エンドはヒューズコネクタと同じにすることができ、及び、
該無線リモコンはケース内の回路のオン/オフをリモートコントロールし、
これらにより、取り付け時、穴あけ配線や別途ホーンを追加する必要がなく、自車のホーンを警報サイレンとして使用することができ、便利でまた隠蔽性の盗難防止効果を達成するものであることを特徴とする無線式自動車ホーンリレーの盗難防止システム。
【請求項２】
ホーンリレー外ケース、電源入力電圧安定回路、無線送受信回路、ＣＰＵデコード及び制御回路、ホーンリレー駆動回路、外付け式無線式の盗難防止センサ、入出力接点、電源ライン及び無線リモコンを含み、
該電源入力電圧安定回路は回路に必要な作業電源を提供し、
該無線受発信回路は受信した無線信号をデジタル信号に拡大変換し、
該ＣＰＵデコード及び制御回路はデジタル信号のデコードと制御信号を提供し、
該ホーンリレー駆動回路は制御信号を拡大し、リレーを駆動し作動させ、自車のホーンを駆動しサイレンを鳴らし、
該外付け式無線式の盗難防止センサは内部に盗難防止センサ、及び発射回路を設置し、盗難防止の検知を提供し、
該入出力接点は自車のホーンリレーと同じ端子を設け、
該電源ラインの正電源エンドはヒューズコネクタと同じにすることができ、及び、
該無線リモコンはケース内の回路のオン/オフをリモートコントロールし、
これらにより、取り付け時、穴あけ配線や別途ホーンを追加する必要がなく、自車のホーンを警報サイレンとして使用することができ、便利でまた隠蔽性の盗難防止効果を達成するものであることを特徴とする無線式自動車ホーンリレーの盗難防止システム。
【請求項３】
当該ホーンリレーは、自車のホーンリレーと同じ大きさの外ケースを有し、それらの電源ラインは、負電源ラインと正電源ラインを包括、負電源ライン、車のボディに止め付けられ、及び、正電源ライン、その上に、ヒューズコネクタを設け、ヒューズの挿入に提供され、また自車の正電源ヒューズホルダー内に挿入されるものであることを特徴とする請求項１又は請求項２記載の無線式自動車ホーンリレーの盗難防止システム。
【請求項４】
当該外付け式無線式盗難防止センサは、充電式バッテリーを内蔵することができ、その上に、シガーライターのソケットを設け、シガーライター・ソケットに挿入して充電できるものであることを特徴とする請求項２記載の無線式自動車ホーンリレーの盗難防止システム。
【請求項５】
当該外付けの無線式盗難防止センサは、外部接続電源ラインを設け、カー電源と互いに接続するものであることを特徴とする請求項２記載の無線式自動車ホーンリレーの盗難防止システム。
【請求項６】
また、その他の盗難防止装置の無線ホーン駆動装置とすることができ、その他の盗難防止装置から伝送されてくる盗難防止起動信号を受信し、転換してホーンを駆動し、サイレンを鳴らすものであることを特徴とする請求項１又は請求項２記載の無線式自動車ホーンリレーの盗難防止システム。
【発明の詳細な説明】
【技術分野】
【０００１】
本発明は自動車の盗難防止システムに関する発明で、特に盗難防止装置が自車のホーンリレー内に効果的に隠して接続設置され、取り付けや使用に便利で、穴あけ配線が不要で隠蔽効果が良く、泥棒に解除されない。また自動車のホーンを駆動し警報サイレンとして利用できる、無線式のホーンリレーの盗難防止システムを指す。
【背景技術】
【０００２】
自動車は現代の生活において不可欠の乗り物であることから、盗難防止のため、オーナーはみな車に盗難防止装置を取り付けている。しかし、従来の盗難防止装置は配線が多く、取り付けの技術レベルがやや高く、一般人が自分で取り付けられないだけでなく、その隠蔽性が悪く、極めて容易に泥棒に解除され、盗難防止装置が一旦機能を喪失すると、車は簡単に泥棒に分解されてしまう。
【０００３】
例えば、一般のカー用電子盗難防止装置の多くは、外付け式の電子サイレン（siren）、或いは直接車のカーホーン（car horn）に接続され、起動されるとサイレンが鳴り人々の注意を引くことができる。しかし、外付け式電子サイレンの接続は、サイレン出力ラインを車のファイアウォールを貫通させてエンジンルーム内の電子サイレンに接続する必要があるほか、少なくともエンジンルーム中のボディ上にいくつか穴をあけて、電子サイレンを固定する必要があり、これは専門作業が必要で、一般人には容易にやり遂げられない。車のホーンを改造する場合でも、ホーン出力ラインをファイアウォールを貫通させてエンジンルーム内のホーンに接続せねばならなかったり、或いは車内でホーン起動スイッチを探さねばならず、これも専門技術があって達成できるものである。
【０００４】
しかもうまく配線するためには、ファイアウォール上の元の配線穴やエンジンカバーオープン用ライン穴の拡大、場合によってはファイアウォールに穴をあけてやっと達成でき、これは取り付け作業時間が増える以外に、穴の拡大や穴あけによって密封性が破壊され、排ガスや雨水を車内に浸入させることになる。
【発明の開示】
【発明が解決しようとする課題】
【０００５】
本発明の主要な目的は、ホーンリレー盗難防止システムの設計において、盗難防止装置を自車のホーンリレー内に効果的に隠して接続設置することができ、取り付け使用に便利で、車に穴あけ配線せずにすみ、隠蔽効果がよく、泥棒に解除されず、また自車のホーンを駆動し警報サイレンとして利用できることである。
【０００６】
ホーンリレー外ケース、その中に、電源入力及び電圧安定回路、無線送受信回路、ＣＰＵデコード及び制御回路、ホーンリレー駆動回路、リレー及び盗難防止センサを設置し、盗難防止の検知を提供し、自車のホーンを駆動しサイレンを鳴らす。また入出力端子を自車のホーンリレーと同じ端子とする。そして正負電源入力ラインの正電源エンドのコネクタをヒューズのコネクタと同じにし、正電源をヒューズホルダー内に挿入し、正電源を取得しやすくする。そして元のヒューズを正電源ラインが残したヒューズホルダー内に挿入し、元のヒューズの機能を保留し、負電源エンドは車体アースに止め付ける。及び、無線リモコン、ケース内の回路のオン/オフをリモートコントロールする。これらにより、取り付け時、穴あけ配線やホーンを追加する必要がなく、自車のホーンを警報サイレンとして使用でき、便利さと隠蔽性の盗難防止効果を達成するものである。
【課題を解決するための手段】
【０００７】
請求項１の発明は、ホーンリレー外ケース、電源入力電圧安定回路、無線送受信回路、ＣＰＵデコード及び制御回路、ホーンリレー駆動回路、盗難防止センサ、入出力接点、電源ライン及び無線リモコン器を含み、
該電源入力電圧安定回路は回路に必要な作業電源を提供し、
該無線送受信回路は受信した無線信号をデジタル信号に拡大変換し、
該ＣＰＵデコード及び制御回路はデジタル信号をデコードし、制御信号を提供し、
該ホーンリレー駆動回路は制御信号を拡大し、リレーを駆動し作動させ、自車のホーンを駆動しサイレンを鳴らし、
該盗難防止センサは盗難防止の検知を提供し、ＣＰＵデコード及び制御回路を互いに接続し、
該入出力接点は自車のホーンリレーと同じ端子を設け、
該電源ラインの正電源エンドはヒューズコネクタと同じにすることができ、及び、
該無線リモコンはケース内の回路のオン/オフをリモートコントロールし、
これらにより、取り付け時、穴あけ配線や別途ホーンを追加する必要がなく、自車のホーンを警報サイレンとして使用することができ、便利でまた隠蔽性の盗難防止効果を達成するものであることを特徴とする無線式自動車ホーンリレーの盗難防止システムとしている。
請求項２の発明は、ホーンリレー外ケース、電源入力電圧安定回路、無線送受信回路、ＣＰＵデコード及び制御回路、ホーンリレー駆動回路、外付け式無線式の盗難防止センサ、入出力接点、電源ライン及び無線リモコンを含み、
該電源入力電圧安定回路は回路に必要な作業電源を提供し、
該無線受発信回路は受信した無線信号をデジタル信号に拡大変換し、
該ＣＰＵデコード及び制御回路はデジタル信号のデコードと制御信号を提供し、
該ホーンリレー駆動回路は制御信号を拡大し、リレーを駆動し作動させ、自車のホーンを駆動しサイレンを鳴らし、
該外付け式無線式の盗難防止センサは内部に盗難防止センサ、及び発射回路を設置し、盗難防止の検知を提供し、
該入出力接点は自車のホーンリレーと同じ端子を設け、
該電源ラインの正電源エンドはヒューズコネクタと同じにすることができ、及び、
該無線リモコンはケース内の回路のオン/オフをリモートコントロールし、
これらにより、取り付け時、穴あけ配線や別途ホーンを追加する必要がなく、自車のホーンを警報サイレンとして使用することができ、便利でまた隠蔽性の盗難防止効果を達成するものであることを特徴とする無線式自動車ホーンリレーの盗難防止システムとしている。
請求項３の発明は、当該ホーンリレーは、自車のホーンリレーと同じ大きさの外ケースを有し、それらの電源ラインは、負電源ラインと正電源ラインを包括、負電源ライン、車のボディに止め付けられ、及び、正電源ライン、その上に、ヒューズコネクタを設け、ヒューズの挿入に提供され、また自車の正電源ヒューズホルダー内に挿入されるものであることを特徴とする請求項１又は請求項２記載の無線式自動車ホーンリレーの盗難防止システムとしている。
請求項４の発明は、当該外付け式無線式盗難防止センサは、充電式バッテリーを内蔵することができ、その上に、シガーライターのソケットを設け、シガーライター・ソケットに挿入して充電できるものであることを特徴とする請求項２記載の無線式自動車ホーンリレーの盗難防止システムとしている。
請求項５の発明は、当該外付けの無線式盗難防止センサは、外部接続電源ラインを設け、カー電源と互いに接続するものであることを特徴とする請求項２記載の無線式自動車ホーンリレーの盗難防止システムとしている。
請求項６の発明は、また、その他の盗難防止装置の無線ホーン駆動装置とすることができ、その他の盗難防止装置から伝送されてくる盗難防止起動信号を受信し、転換してホーンを駆動し、サイレンを鳴らすものであることを特徴とする請求項１又は請求項２記載の無線式自動車ホーンリレーの盗難防止システムとしている。
【発明の効果】
【０００８】
本発明の無線式自動車ホーンリレーの盗難防止システムは、盗難防止装置を自車のホーンリレー内に効果的に隠して接続設置することができ、取り付け使用に便利で、車に穴あけ配線せずにすみ、隠蔽効果がよく、泥棒に解除されず、また自車のホーンを駆動し警報サイレンとして利用できることである。
【発明を実施するための最良の形態】
【０００９】
図１〜３に示すように、本発明で設計した無線式ホーンリレーの盗難防止システムは、ホーンリレー外ケース（１）内に以下のものを包括、
電源入力及び電圧安定回路（１１）は回路に必要な作業電源を提供する。無線受発信回路（１２）は受信した無線信号をデジタル信号に拡大変換する。ＣＰＵデコード及び制御回路（１３）はデジタル信号のデコードと制御信号を提供する。ホーンリレー駆動回路（１４）は制御信号を拡大し、リレー（１５）を起動して作動させ、自動車のホーン（８）を駆動しサイレンを鳴らす。盗難防止センサ（２）はＣＰＵデコード及び制御回路（１３）と互いに接続し、盗難防止の検知を提供する。
【００１０】
実施時には、そのホーンリレー外ケース（１）を自車のホーンリレーと同じ大きさにし、外観をうまくカムフラージュして一目で見破られないようにする。またその組立構造全体にはまた、以下のものを有し、
入出力接点（３）は自車のホーンリレーと同じ端子を設ける。電源ライン（４）は正電源エンドをヒューズコネクタと同じにすることができる。及び、無線リモコン（５）はケース内の回路のオン/オフをリモートコントロールする。或いはそのサイレンで車を探したり、救援を求める等のリモートコントロール機能をさせる。
【００１１】
これにより、製造時に、電源入力及び電圧安定回路（１１）、無線受発信回路（１２）、ＣＰＵデコード及び制御回路（１３）、ホーンリレー駆動回路（１４）、リレー（１５）及び盗難防止センサ（２）等、全てを自車のホーンリレー外ケース（１）内に入れることができ、またその入出力接点（３）を自車のホーンリレー端子とそっくりに作ることで、取り付け時、自車のホーンリレーをリレーボックス内から取り出し、次に本発明を元のホーンリレーボックス内へ挿入するだけでよく、一般の人が自分で簡単に入れ替えて完成することができる。専門家の穴あけ配線や、別途ホーンを追加する必要がなく、隠蔽性があり、作業が省けて便利で、盗難防止効果がよいだけでなく、また自動車のホーン（８）を警報サイレンとすることができる。
【００１２】
このほか、車の各タイプによりホーン（８）の起動が異なり、あるホーン（８）は、エンジンキーをＯＮまで回して作動しない、或いはマイナス起動時に負電源供給がない、或いはプラス起動時に正電源供給がない状況をもたらす。そこで、本発明に設ける電源ライン（４）は、以下のものを包括することができる。負電源ライン（４１）、車のボディへの取り付けに提供される。及び、正電源ライン（４２）、その上に、ヒューズコネクタ（４５）を接続し、自車のヒューズ（４６）の挿入に提供され、更に自車の正電源ヒューズホルダー内に挿入することができる。このように、どのようなタイプの車であれ、全て正負電源を得ることができ、また元のヒューズ（４６）の機能を保留することができる。
【００１３】
応用上では、自動車のハンドル上のホーンスイッチ（９）から、ホーンスイッチの入力端子孔を経て、ＣＰＵデコード及び制御回路（１３）、ホーンリレー駆動回路（１４）及びリレー（１５）を経て、自動車のホーン（８）を駆動させサイレンを鳴らす。元のホーン機能を保持する以外に、さらに電源入力及び電圧安定回路（１１）を経て電圧を安定させ、回路が必要とする作業電源を提供し、無線受発信回路（１２）を利用して、アンテナが受信した信号をデジタル信号に拡大変換し、ＣＰＵデコード及び制御回路（１３）へ送ってデコードすることができ、パスワードが正確であれば、パスワード信号に基づき制御信号を送信し、ホーンリレー駆動回路（１４）を経て拡大させ、リレー（１５）を駆動し作動させ、自動車のホーン（８）を駆動し盗難防止サイレンとして使用することができる。
【００１４】
図１〜図３に示すように、実施時、当該内蔵する盗難防止センサ（２）はまた、外付けの無線式の盗難防止検知センサ（２５）に変えることができる。或いは元から内蔵されている盗難防止センサ（２）を保留し、更に無線式の盗難防止検知センサ（２５）を増加して、盗難防止検知ポイントを増やすことができる。そして、その無線式の盗難防止検知センサ（２５）内部には各種盗難防止センサ及び発射回路を組み合わせることができ、その組み合わせ上からは、２本の電源ラインが露出するだけで、配線取り付けを減らすことができる。或いは第３図に示すように、直接、充電式バッテリー（２６）を内蔵し、その上にシガーライター・ソケット（２７）を設置し、シガーライター・ソケットに挿入して充電することができ、応用上、より隠蔽性があり便利である。
【図面の簡単な説明】
【００１５】
【図１】本発明のブロック図である。
【図２】本発明のもう一つの実施例のブロック図である。
【図３】本発明の無線式の盗難防止センサの平面図である。
【符号の説明】
【００１６】
１  外ケース
２  盗難防止センサ
３  入出力接点
４  電源ライン
５  無線リモコン
８  カー用ホーン
９  スイッチ
１１  電源入力及び電圧安定回路
１２  無線受発信回路
１３  ＣＰＵデコード及び制御回路
１４  ホーンリレー駆動回路
１５  リレー
２５  無線式の盗難防止検知センサ
２６  充電式バッテリー
２７  シガーライター・ソケット
４１  負電源ライン
４２  正電源ライン
４５  コネクタ
４６  ヒューズ
【図１】
2008279843.tif 000003
【図２】
2008279843.tif 000004
【図３】
2008279843.tif 000005